【事件の表示】
　平成　７年特許願第２７７０８８号「外装材の横張り接続金具及び該接続金具を用いて成る外装材の横張り構造」拒絶査定に対する審判事件［平成　９年　４月　８日出願公開、特開平　９−　９６０８０］について、次のとおり審決する。
【結　論】
　本件審判の請求は、成り立たない。
【理　由】
１．手続の経緯 
　本願は、平成７年９月３０日に出願されたものであり、その請求項１、２に係る発明（以下、「本願発明１、２」という。）は、出願当初の明細書及び図面の記載からみて、その請求項１、２に記載された次のとおりのものである。　
　
【請求項１】下端部には表面側凸部と、裏面側小凸部と、上記表面側凸部と上記裏面側小凸部との間に形成される嵌入凹部とを有し、上端部には裏面側凸部を有する外装材同士を、上下に横張り接続するために用いられる接続金具であって、下地材に取り付けるための取付穴を複数有する取付片と、上記取付片の下方に延出される下方片と、上記下方片を挟んで両側において上記取付片の下端部から略直角に折り曲げられて略水平となる水平片と、上記水平片の先端から上方及び下方に向けて折り曲げ形成される上向き片及び下向き片とを有して成り、上記取付片、上記水平片及び上記上向き片の間に上段の外装材の下端部の上記裏面側小凸部を嵌合し、上記下方片、上記水平片及び上記下向き片の間に下段の外装材の上端部の上記裏面側凸部を嵌合するよう構成され、更に、上記取付片の上記取付穴の下端水平線より下方で且つ上記上向き片の上端水平線より上方の位置から上記下方片の下端部に至るまで上記下方片の両側縁に沿って延長するように表面側を凸とする補強リブが形成されて成ることを特徴とする外装材の横張り接続金具。
【請求項２】　 下端部には表面側凸部と、裏面側小凸部と、上記表面側凸部と上記裏面側小凸部との間に形成される嵌入凹部とを有し、上端部には裏面側凸部を有する外装材同士を、接続金具を介して上下に横張り接続して成るものであって、上記接続金具は、下地材に取り付けるための取付穴を複数有する取付片と、上記取付片の下方に延出される下方片と、上記下方片を挟んで両側において上記取付片の下端部から略直角に折り曲げられて略水平となる水平片と、上記水平片の先端から上方及び下方に向けて折り曲げ形成される上向き片及び下向き片とを有して成り、更に、上記取付片の上記取付穴の下端水平線より下方で且つ上記上向き片の上端水平線より上方の位置から上記下方片の下端部に至るまで上記下方片の両側縁に沿って延長するように表面側を凸とする補強リブが形成されて成り、上記取付金具の上記取付片を下地材に取り付け、上記取付片、上記水平片及び上記上向き片の間に上段の外装材の下端部の上記裏面側小凸部を嵌合し、上記下方片、上記水平片及び上記下向き片の間に下段の外装材の上端部の上記裏面側凸部を嵌合することにより構成される ことを特徴とする外装材の横張り構造。
（なお、取付金具は接続金具の誤記と認められるので、上記のように認定した。）
　
２．引用例記載の発明 　　　　　　　　　　　　　　　　　　　　　　　　
　これに対して、原査定の拒絶の理由の概要は、本願発明１，２は、その出願前に頒布された刊行物である実願平３−５６１６２号（実開平５−７８３２号）のＣＤ−ＲＯＭ（以下、引用例１という。）、及び、実願平３−４７２７０号（実開平５−８３０号）のＣＤ−ＲＯＭ（以下、「引用例２」という。）に記載された発明に基づいて当業者が容易に発明をすることができたものであるので、本願発明１，２は特許法第２９条第２項の規定により特許を受けることができない、というにある。
　
そして
（１）引用例１には、には、下記（イ）ないし（ヘ）の記載がある。
　
（イ）「本考案に係わる外装材の取付金具（１、１Ａ）は、外壁下地（２５）に設けた胴縁（１２）の上面に固着され得るほぼＴ字状の取付片（２）と、該取付片の下部に位置し、左右方向に所定間隔離間して設けられ、且つ雄実係合片（８、９）及び雌実係合片（１０、１１）をそれぞれ備えた一対の嵌入片（３、４）を有し、前記取付片の上部に、該取付片を前記胴縁の上面に固着するための釘やビス等の固着具（１７）が打ち込まれる取付孔（１６）が設けられており、更に、前記取付片の前記一対の嵌入片の中間の位置に、その嵌入片のレベル位置を頂点とし、上方向及び下方向にそれぞれ漸次低くなる傾斜面が形成された凸状リブ（５）が設けられていることを要旨とする。」（第５頁１２行〜２０行）
　
（ロ）「そして、この取付金具を用いて外装材（２０）の施工を行なう場合には、例えば先に取り付けられた取付金具の雌実係合片を外装材の雌実（２１）の係合溝（２２）に嵌め込むようにして別の外装材を該取付金具の上に設け、次いで、この外装材の雄実（２３）に別の取付金具の雄実係合片を嵌合し、固着具を取付金具の取付孔から打ち込み、胴縁或いは外壁下地の上面に固着し、その後、この取付金具の上側に更に別の外装材を取り付けるという手順を下から上方向に順次採ればよい。（第５頁２５行〜第６頁２行）
（ハ）「以上の通り、本考案によれば、胴縁１２ないし外壁下地２５に固着した取付金具１、１Ａの雄実係合片８、９ないし雌実係合片１０、１１を外装材２０の雄実２３ないし雌実２１に嵌合させて取り付けるので、このため外装材２０の表面側から釘等の固着具１７を打ち込み貫通させなくても確実に取り付けることが出来、この結果、外観や外装材２０表面の模様等を損なったり、外装材２０を破損することなしに、外装材２０を施工することが可能となる。（第１１頁１２行〜１７行）
（ニ）「この際、取付金具１、１Ａの外壁下地２５への固着は、外装材２０を設置した後、雄実２３に嵌合させ、次いで、取付片２の上部に設けた取付孔１６に釘やビス等の固着具１７を打ち込んで行なうことが出来、外装材２０を設置する前に所定の位置に予め取付金具１、１Ａを外壁下地２５等に固着しておく必要がないので、従来より行なわれている取付金具による工法の内、外装材２０を設置する前に取付金具を外壁下地２５に仮止めする工法と比べて、施工手間を大幅に削減することが可能となる。」（第１１頁１９行〜２５行）
（ホ）「また、取付金具１、１Ａの取付片２に傾斜面の凸状リブ５又は６、７を設けたことにより、外装材２０の雄実２３ないし雌実２１を係合片８、９、１０、１１にそれぞれ嵌合させる場合、雄実２３ないし雌実２１をそれぞれの係合片８、９、１０、１１に密着して押さえつけて納めることが出来、施工後における外装材２０と取付金具１、１Ａとのガタツキがなくなる。また、凸状リブ５又は６、７が補強材として設けられているので、外装材２０が施工後に反り等の変形が生じた場合でも取付金具１、１Ａが曲がる事態の発生を未然に防止することが出来る。」（第１１頁２７行〜第１２頁５行）
（ヘ）図３には、「引用例１に記載された発明が、下端部には外装材の雌実２１と、裏面側小凸部と、上記外装材の雌実２１と上記裏面側小凸部との間に形成される嵌入凹部とを有し、上端部には外装材の雌実２３を有する外装材同士を、上下に横張り接続するために用いられる取付金具である」ことが記載されている。
　
　したがって、引用例１には、「下端部には外装材の雌実２１と、裏面側小凸部と、上記外装材の雌実２１と上記裏面側小凸部との間に形成される嵌入凹部とを有し、上端部には外装材の雌実２３を有する外装材同士を、上下に横張り接続するために用いられる取付金具であって、外壁下地２５に取り付けるための取付孔１６を複数有する取付片２と、上記取付片２の下方に延出される取付片２の下部と、上記取付片２の下部を挟んで両側において上記取付片２の下端部から略直角に折り曲げられて略水平となる嵌入片４と、上記嵌入片４の先端から上方及び下方に向けて折り曲げ形成される雌実係合片１０，１１及び雄実係合片８，９とを有して成り、上記取付片２、上記嵌入片４及び上記雌実係合片１０，１１の間に上段の外装材の下端部の上記裏面側小凸部を嵌合し、上記取付片２の下部、上記嵌入片４及び上記雄実係合片８，９の間に下段の外装材の上端部の上記外装材の雌実２３を嵌合するよう構成され、取付片２に、表面を凸とする凸状リブ５が形成されて成る外装材の取付金具」が記載されている。　
　
（２）また、引用例２には、下記（イ）ないし（ハ）の記載がある。
（イ）「この考案は、上記の課題を解決するものとして、外壁固定用のビス穴を有する外壁当接面と、この外壁当接面の両端を湾曲状に折り曲げて形成したリブを有し、外壁当接面の下端より、上下の外装材端部に当接する立設片と垂下片とをその先端に有する水平板を延設してなることを特徴とする外装材接続金具を提供する。」（第５頁２７行〜第６頁２行）
（ロ）「この考案の金具においては、外壁当接面の両端に設けたリブによって、水平板部に当接する外装材裏面と外壁当接面との間にビス頭の高さに相当する空隙が形成されるため、ビス頭は外装材の取付け時の障害とならず、前記リブの存在によって外装材の取付けも強固となる。しかも、外装材の荷重支持も充分となって、金具が変形することもない。」（第６頁５行〜９行）
（ハ）「外壁当接面（２）、水平版（６）、および立設片（４）と垂下片（５）の各々の寸法は接続固定する外装材の重量や厚み等に応じて適宜とすることができるが、前記の湾曲状リブ（３）については、その高さ（ｈ）が、ビス穴（７）に挿入して外壁面に外装材接続金具（１）を取付けるビスの頭の大きさ以上になるようにする。また、このリブ（３）を含む外壁当接面（２）の両端部の寸法については、外装材の支持力をより増大させるために、たとえば図２に例示した外装材接続金具（８）のようにその長さ（ｌ）を水平板（６）よりも下方に延長させるようにすることもできる。」（第６頁２９行〜第７頁３行）
　
３．対比・判断
　
（イ）本願発明１について　
　本願発明１と引用例１に記載された発明とを対比すると、引用例１に記載された発明の「外装材の雌実２１」「取付金具」「外壁下地２５」「取付孔１６」「取付片の下部」「嵌入片４」「雌実係合片１０、１１」「雄実係合片８，９」「外装材の雌実２３」「凸状リブ５」は、各々本願発明１の「表面側凸部」「接続金具」「下地材」「取付穴」「下方片」「水平片」「上向き片」「下向き片」「裏面側凸部」「補強リブ」に相当するので、
　
　両者は、
　
　「下端部には表面側凸部と、裏面側小凸部と、上記表面側凸部と上記裏面側小凸部との間に形成される嵌入凹部とを有し、上端部には裏面側凸部を有する外装材同士を、上下に横張り接続するために用いられる接続金具であって、下地材に取り付けるための取付穴を複数有する取付片と、上記取付片の下方に延出される下方片と、上記下方片を挟んで両側において上記取付片の下端部から略直角に折り曲げられて略水平となる水平片と、上記水平片の先端から上方及び下方に向けて折り曲げ形成される上向き片及び下向き片とを有して成り、上記取付片、上記水平片及び上記上向き片の間に上段の外装材の下端部の上記裏面側小凸部を嵌合し、上記下方片、上記水平片及び上記下向き片の間に下段の外装材の上端部の上記裏面側凸部を嵌合するよう構成され、取付片に、表面を凸とする補強リブが形成されて成る外装材の横張り接続金具」である点で一致し、次の点で相違する。
　
相違点（１）
　外装材の横張り接続金具において、本願発明１では、取付片の取付穴の下端水平線より下方で且つ上向き片の上端水平線より上方の位置から下方片の下端部に至るまで下方片の両側縁に沿って延長するように補強リブが形成されているのに対し、引用例１に記載された発明では、取付片の取付部の下端水平線より下方の位置から下方片の下端部付近に至るまで、取付片の中央部に延長された補強リブを設けた点で相違する。
　
　そこで、前記相違点（１）について検討する。
　
　引用例１には、本願発明１と同様に接続金具の反り（曲がり）等を防止するため、補強リブを設けたことが記載されており、しかも、引用例２にも、同じ技術分野に属する外装材の横張り接続金具において、下方片の両側方に沿って延長するように表面側を凸とする補強リブが形成された点が記載されている。
　
　してみれば、本願発明１のように、外装材の横張り接続金具において、取付片の取付穴の下端水平線より下方で且つ上向き片の上端水平線より上方の位置から下方片の下端部に至るまで下方片の両側縁に沿って延長するように表面側を凸とする補強リブが形成されるようにすることは、引用例１に記載の発明に、引用例２に記載の発明を適用する際に、設計上の工夫を加えることにより、それほどの技術的な困難性を要することなく、当業者ならば容易になし得たものである。
　
　また、それによる効果も引用例１、引用例２の効果の総和の範囲内のものであり、当業者ならば容易に想到し得るもので何ら格別のものではない。
　
（ロ）本願発明２について
　
　本願発明２は、本願発明１に関する外装材の横張り接続金具に関して、「上記取付金具の上記取付片を下地材に取り付け、上記取付片、上記水平片及び上記上向き片の間に上段の外装材の下端部の上記裏面側小凸部を嵌合し、上記下方片、上記水平片及び上記下向き片の間に下段の外装材の上端部の上記裏面側凸部を嵌合することにより構成されること」を追加し、その対象を「外装材の横張り構造」としたものであり、本願発明１の接続金具を具体的に適用した外装材の横張り構造に関するものである。したがって、実質的には、本願発明１に関して検討したと同様に、引用例１に記載の発明に、引用例２に記載の発明を適用することにより、それほどの技術的な困難性を要することなく、当業者ならば容易になし得たものである。また、その効果も当業者ならば充分に予測できるものであり、何ら格別のものではない。
　
４．むすび
　したがって、本願発明１，２は、本願出願前に頒布された刊行物である引用例１及び引用例２に記載の発明に基づいて、当業者が容易に発明をすることができたものであるから、特許法第２９条第２項の規定により特許を受けることができない。